(57)【要約】【課題】差し金のような長尺物を収納することが可能な収納具を提供する。【解決手段】ベルトを通すことができる環状部（１２０）と、工具を収納することができるポケット部（１３１）とを備える収納具（１００）において、環状部（１２０）の内部には収納部形成部材（１４０）が取り付けられており、収納部形成部材（１４０）はベルトの長さ方向と同一方向に延びており、収納部形成部材（１４０）はその上端と下端において環状部（１２０）に固定されることにより上端及び下端の間に長尺物を横方向に収納することが可能なスペース（１６０）を形成している。【選択図】図２
2015080511.tif 000002
【特許請求の範囲】
【請求項１】
ベルトを通すことができる環状部と、工具を収納することができるポケット部とを備える収納具において、
前記環状部の内部には、長尺物を横方向に収納することが可能な収納部を形成する収納部形成部材が取り付けられており、
前記収納部形成部材は前記ベルトの長さ方向と同一方向に延びており、
前記収納部形成部材はその上端と下端において前記環状部に固定されることにより前記上端及び前記下端の間に前記長尺物を横方向に収納することが可能なスペースを形成することを特徴とする収納具。
【請求項２】
前記収納部形成部材は使用者側とは反対側において前記環状部の内面に取り付けられていることを特徴とする請求項１に記載の収納具。
【請求項３】
前記収納部形成部材は、前記環状部が撚れることを防止するために必要な剛性を有していることを特徴とする請求項１または２に記載の収納具。
【請求項４】
前記収納部形成部材の両端の少なくとも何れか一方には前記長尺物をガイドする案内部が形成されていることを特徴とする請求項１乃至３の何れか一項に記載の収納具。
【発明の詳細な説明】
【技術分野】
【０００１】
本発明は、腰ベルトに装着され、工具類を収納可能な収納具に関する。
【背景技術】
【０００２】
このような収納具の一例として実用新案登録第３１４８３９５号公報に記載されたものがある。
【０００３】
図５は上記公報に記載された収納具１の斜視図、図６は収納具１の使用状態を示す背面図である。
【０００４】
収納具１は皮革または合成繊維からなる基板２からなり、基板２の上部４が裏側に折り返されることにより、ベルト１８（図６参照）を通す環状部６が形成されている。上部４の上端はリベット８を介して基板２の背面に固定されている。
【０００５】
基板２の正面側（環状部６の反対側）には、上部が開口するように固定具１４及び縫製１６を介してポケット形成片１０が取り付けられ、ポケット部１２が形成されている。
【０００６】
図６に示すように、収納具１は、環状部６にベルト１８を通すことにより、使用者のベルト１８に取り付けられる。ポケット部１２には工具類を収納することができ、使用者は作業に必要な工具を常に身に付けておくことができる。
【先行技術文献】
【特許文献】
【０００７】
【特許文献１】実用新案登録第３１４８３９５号公報
【発明の開示】
【発明が解決しようとする課題】
【０００８】
図５及び図６に示した収納具１はドライバー、ペンチなどの比較的長さの短い工具を収納することは可能であるが、差し金などの長尺物を収納することには不適であった。
【０００９】
ポケット部１２に差し金を収納することは物理的には可能であるが、差し金は長いもの（例えば、１メートル）であるため、差し金をポケット部１２に入れると、差し金の先端が使用者に当たってしまい、使用者の動きを阻害することになる。このため、差し金をポケット部１２に収納することは実質的には不可能であった。
【００１０】
本発明はこのような従来の収納具１における問題点に鑑みてなされたものであり、差し金のような長尺物を収納することが可能な収納具を提供することを目的とする。
【課題を解決するための手段】
【００１１】
上記の目的を達成するため、本発明は、ベルトを通すことができる環状部と、工具を収納することができるポケット部とを備える収納具において、前記環状部の内部には、長尺物を横方向に収納することが可能な収納部を形成する収納部形成部材が取り付けられており、前記収納部形成部材は前記ベルトの長さ方向と同一方向に延びており、前記収納部形成部材はその上端と下端において前記環状部に固定されることにより前記上端及び前記下端の間に前記長尺物を横方向に収納することが可能なスペースを形成することを特徴とする収納具を提供する。
【００１２】
前記収納部形成部材は使用者側とは反対側において前記環状部の内面に取り付けられていることが好ましい。
【００１３】
前記収納部形成部材は、前記環状部が撚れることを防止するために必要な剛性を有していることが好ましい。
【００１４】
前記収納部形成部材の両端の少なくとも何れか一方には前記長尺物をガイドする案内部が形成されていることが好ましい。
【発明の効果】
【００１５】
本発明に係る収納具においては、収納部形成部材がその上端と下端において環状部の内面に固定されることにより上端及び下端の間にスペースが形成される。このスペースには差し金などの長尺物を差し込むことができる。スペースはベルトの長さ方向に延びて形成されているため、スペースに差し込まれた長尺物は横方向（水平方向）になった状態で環状部の内部に保持されることになる。
【００１６】
このため、収納具の使用者にとっては長尺物が作業の邪魔になることなく、長尺物を身に付けて保持することができる。
【図面の簡単な説明】
【００１７】
【図１】本発明の第一の実施形態に係る収納具の正面図である。
【図２】本発明の第一の実施形態に係る収納具の側面図である。
【図３】本発明の第一の実施形態に係る収納具において収納部形成部材及び収納部形成部材が形成するスペースの拡大側面図である。
【図４】本発明の第二の実施形態に係る収納具における収納部形成部材の平面図である。
【図５】従来の収納具の斜視図である。
【図６】従来の収納具の使用状態を示す背面図である。
【発明を実施するための形態】
【００１８】
（第一の実施形態）
図１は本発明の第一の実施形態に係る収納具１００の正面図、図２は収納具１００の側面図である。
【００１９】
収納具１００は皮革または合成繊維からなる基板１１０からなり、基板１１０の上部１１１が裏側に折り返されることにより、ベルト１８（図６参照）を通す環状部１２０が形成されている。上部１１１の上端はリベット（図示せず）を介して基板１１０の背面に固定されている。
【００２０】
基板１１０の正面側（環状部１２０の反対側）には、上部が開口するようにリベット（図示せず）を介してポケット形成片１３０が取り付けられ、ポケット部１３１が形成されている。
【００２１】
収納具１と同様に、収納具１００は、環状部１２０にベルト１８（図６参照）を通すことにより、使用者のベルト１８に取り付けられる。ポケット部１３１には工具類を収納することができ、使用者は作業に必要な工具を常に身に付けておくことができる。
【００２２】
図２に示すように、環状部１２０の内部には収納部が形成されている。
【００２３】
収納部は、収納具１００と同一の素材からなる収納部形成部材１４０を使用者側とは反対側の基板１１０の内面に取り付けることにより形成されている。
【００２４】
収納部形成部材１４０は収納具１００の幅方向（図１における左右方向またはベルト１８の長さ方向）に延びる長方形状の部材である。収納部形成部材１４０はその上端及び下端においてリベット１５０を介して基板１１０に固定されている。収納部形成部材１４０の上端及び下端に止められているリベット１５０の間には長尺物を収納することが可能なスペース１６０が形成されている。
【００２５】
図３は収納部形成部材１４０及び収納部形成部材１４０が形成するスペース１６０の拡大側面図である。
【００２６】
図３に示すように、収納部形成部材１４０がその上端及び下端において基板１１０の内面に取り付けられることにより、収納部形成部材１４０の上端及び下端の間にはスペース１６０が形成されている。
【００２７】
図３に示すように、スペース１６０には差し金などの長尺物１７０を差し込むことができる。スペース１６０は収納具１００の幅方向（図１における左右方向）に延びて形成されているため、スペース１６０に差し込まれた長尺物１７０は横方向（水平方向）になった状態で環状部１２０の内部に保持されることになる。
【００２８】
このため、収納具１００の使用者にとっては長尺物１７０が作業の邪魔になることなく、長尺物１７０を身に付けて保持することができる。
【００２９】
本実施形態に係る収納具は上記の構造に限定されるものではなく、種々の改変が可能である。
【００３０】
例えば、経年変化により基板１１０の強度が低下すると、環状部１２０が撚れてベルト１８を通しにくくなることがある。このため、収納部形成部材１４０として所定の剛性を有するものを使用することにより、環状部１２０が撚れることを防止することが可能である。
【００３１】
また、本実施形態に係る収納具１００においては、収納部形成部材１４０はリベット１５０を介して基板１１０に固定されているが、他の方法（例えば、縫製）により固定することも可能である。
【００３２】
（第二の実施形態）
図４は本発明の第二の実施形態に係る収納具における収納部形成部材２４０の平面図である。
【００３３】
第一の実施形態における収納部形成部材１４０は長方形をなしているのに対して、本実施形態における収納部形成部材２４０においては、両端に円弧状の案内部２４１が形成されており、この案内部２４１を介して長尺物１７０をスペース１６０に通すことにより、長尺物１７０をスムーズにスペース１６０内に挿入することが可能になる。
【００３４】
なお、案内部２４１の形状は円弧状に限定されるものではなく、例えば、三角形、台形、長方形にすることも可能である。
【００３５】
また、案内部２４１を収納部形成部材２４０の両端に設けることは必ずしも必要ではなく、例えば、長尺物１７０を差し込む側にのみ案内部２４１を形成することも可能である。
【符号の説明】
【００３６】
１００  本発明の第一の実施形態に係る収納具
１１０  基板
１２０  環状部
１３０  ポケット形成片
１３１  ポケット部
１４０  収納部形成部材
１５０  リベット
１６０  スペース
１７０  長尺物
２４０  収納部形成部材
２４１  案内部
【図１】
2015080511.tif 000003
【図２】
2015080511.tif 000004
【図３】
2015080511.tif 000005
【図４】
2015080511.tif 000006
【図５】
2015080511.tif 000007
【図６】
2015080511.tif 000008